(57)【要約】【課題】異形の引き出しを採用することなく、収納空間の有効利用を図ることができるキャビネットを提供する。【解決手段】上面開口部及び前面開口部を有するキャビネット本体１０と、このキャビネット本体１０の前面開口部における上半部領域に差し込まれる引き出し２０と、キャビネット本体１０の前面開口部における下半部領域に差し込まれる蹴込み付き引き出し３０と、蹴込み付き引き出し３０に取り付けられたトレー４０とから構成されており、キャビネット本体１０の上面開口部にシンク５２を有するカウンター５１が固定設置されるようになっている。トレー４０は、その後部側が蹴込み付き引き出し３０の引き出し本体３１から後方に張り出すように、前後方向の中央部を引き出し本体３１の背板３１ａの上端面に載置した状態で、引き出し本体３１の幅方向に移動可能に、その前部側が蹴込み付き引き出し３０に支持されている。【選択図】        図２
2008073270.tif 000002
【特許請求の範囲】
【請求項１】
引き出し本体に前板が固定された引き出しを有するキャビネットにおいて、
前記引き出しには、前記引き出し本体の上部に、前記引き出し本体の幅の１／２以下の幅を有するトレーが、前記前板の上端面よりも上方側に張り出さないような状態で、前記引き出し本体の幅方向に移動可能に設置されており、
前記トレーは、その後部側が前記引き出し本体を構成している背板より後方側に張り出した状態で、前記引き出しに支持することができるようになっていることを特徴とするキャビネット。
【請求項２】
前記トレーは、前記引き出し本体の前後方向に移動可能に設置されている請求項１に記載のキャビネット。
【請求項３】
前記トレーは、その後部側が、前記引き出し本体の前記背板より後方側に張り出さないような状態で、前記引き出しに支持することができるようになっている請求項１または２に記載のキャビネット。
【請求項４】
前記トレーを、その後部側が前記引き出し本体の前記背板より後方側に張り出すように、前記引き出しに設置する場合は、前記トレーの後部側を前記引き出し本体の前記背板の上端面に載置するようになっており、前記トレーの後部側を前記引き出し本体の前記背板の上端面に載置した状態で、前記トレーが略水平になるように、前記トレーの前部側が前記引き出しに支持されている請求項１、２または３に記載のキャビネット。
【発明の詳細な説明】
【技術分野】
【０００１】
この発明は、システムキッチンのベースキャビネット等の引き出しを備えたキャビネット、特に、収納空間の有効利用を図ることができるキャビネットに関する。
【背景技術】
【０００２】
従来、システムキッチンを構成しているベースキャビネットでは、一般的に、キャビネット本体の前面開口部を開閉する観音開きまたは片開きの収納扉が取り付けられていたが、収納空間の奥側に収納した物品等を取り出しにくいので、近年では、こういった扉タイプのベースキャビネットに代わって、図９に示すように、キャビネット本体６１に引き出し６２、６３が取り付けられた引き出しタイプのベースキャビネット６０が市場に出回るようになってきている。
【０００３】
【特許文献１】特開平５−１４６３３６号公報
【発明の開示】
【発明が解決しようとする課題】
【０００４】
ところで、同図に示すように、キャビネット本体６１の上面開口部にシンク７２を有するカウンター７１が固定設置されるベースキャビネット６０では、収納空間の奥側に排水管７３、給水用（給湯用）の止水栓７４及び排水管カバー７５等が配設されるので、引き出しの奥行きを十分に確保することができず、収納空間の有効利用を図ることができないといった問題がある。
【０００５】
こういった問題を解決するためには、障害物となる排水管７３、止水栓７４及び排水管カバー７５等を避けるように、その平面形状を変形させた異形の引き出しを採用することが考えられるが、異形の引き出しは製作するのに手間がかかると共に、引き出しの形状は、排水管７３、止水栓７４及び排水管カバー７５等の障害物の形状と位置とによって決定されるので、排水構造が異なる場合には、同じ引き出しを使用することができない場合もあるので、ベースキャビネットの製品価格が上昇するといった問題がある。
【０００６】
そこで、この発明の課題は、異形の引き出しを採用することなく、収納空間の有効利用を図ることができるキャビネットを提供することにある。
【課題を解決するための手段】
【０００７】
上記の課題を解決するため、請求項１にかかる発明は、引き出し本体に前板が固定された引き出しを有するキャビネットにおいて、前記引き出しには、前記引き出し本体の上部に、前記引き出し本体の幅の１／２以下の幅を有するトレーが、前記前板の上端面よりも上方側に張り出さないような状態で、前記引き出し本体の幅方向に移動可能に設置されており、前記トレーは、その後部側が前記引き出し本体を構成している背板より後方側に張り出した状態で、前記引き出しに支持することができるようになっていることを特徴とするキャビネットを提供するものである。
【０００８】
また、請求項２に係る発明は、請求項１にかかる発明のキャビネットにおいて、前記トレーを、前記引き出し本体の前後方向に移動可能に設置したのである。
【０００９】
また、請求項３に係る発明は、請求項１または２にかかる発明のキャビネットにおいて、前記トレーを、その後部側が、前記引き出し本体の前記背板より後方側に張り出さないような状態で、前記引き出しに支持することができるようにしたのである。
【００１０】
また、請求項４に係る発明は、請求項１、２または３にかかる発明のキャビネットにおいて、前記トレーを、その後部側が前記引き出し本体の前記背板より後方側に張り出すように、前記引き出しに設置する場合は、前記トレーの後部側を前記引き出し本体の前記背板の上端面に載置するようにし、前記トレーの後部側を前記引き出し本体の前記背板の上端面に載置した状態で、前記トレーが略水平になるように、前記トレーの前部側を前記引き出しに支持するようにしたのである。
【発明の効果】
【００１１】
以上のように、請求項１にかかる発明のキャビネットは、引き出し本体の上部に、前板の上端面よりも上方側に張り出さないような状態で、引き出し本体の幅方向に移動可能にトレーが設置されており、しかも、トレーは、その後部側が引き出し本体を構成している背板より後方側に張り出した状態で、引き出しに支持することができるようになっているので、引き出しを閉めたときに、収納空間内に設置されている障害物を避ける位置で、トレーを引き出しの後方側に張り出させるように、引き出しに設置しておくと、障害物の側方の空間を収納空間として有効に利用することができる。従って、収納空間の有効利用を図るために、製作に手間がかかる、汎用性に乏しい異形の引き出しを採用する必要がなく、キャビネットの製品価格の上昇を最小限に抑えつつ、収納空間の有効利用を図ることが可能になる。
【００１２】
また、トレーは、引き出し本体の幅方向に移動可能に設置されているので、障害物の形状や位置が引き出し本体の幅方向に変化した場合でも、引き出し本体に対するトレーの位置を適宜変更することによって、対応することができる。
【００１３】
さらに、トレーの幅が引き出し本体の幅の１／２以下に設定されているので、トレーを引き出し本体の幅方向に適宜移動させることによって、トレーが、引き出し本体内に収容された物品の出し入れの障害となりにくく、引き出しに対する物品の出し入れを円滑に行うことができる。
【００１４】
また、請求項２にかかる発明のキャビネットは、トレーが、引き出し本体の前後方向に移動可能に設置されているので、キャビネットの奥行き方向に障害物がある場合や、引き出し本体内に収納される物品等との関係で、トレーが邪魔になるような場合等、必要に応じて、引き出し本体に対するトレーの張出量を調整することができ、使い勝手がよい。
【００１５】
また、請求項３にかかる発明のキャビネットは、トレーの後部側が、引き出し本体の背板より後方側に張り出さないような状態で、トレーを引き出しに支持することができるので、引き出し本体の領域内において、引き出し本体及びその上部に設置されているトレーの上下２段で物品を収納することも可能となる。これにより、収納パターンの自由度が大きくなり、使い勝手がよい。
【００１６】
また、請求項４にかかる発明のキャビネットでは、トレーを、その後部側が引き出し本体の背板より後方側に張り出すように、引き出しに設置する場合は、トレーの後部側を引き出し本体の背板の上端面に載置するようにし、トレーの後部側を引き出し本体の背板の上端面に載置した状態で、トレーが略水平になるように、トレーの前部側を引き出しに支持するようにしたので、トレーの後部側を支持するための専用の支持部材を引き出しに設ける必要がなく、部品点数が少なくなるという効果が得られる。
【発明を実施するための最良の形態】
【００１７】
以下、実施の形態について図面を参照して説明する。図１〜図３は、システムキッチンのベースキャビネット１を示している。このベースキャビネット１は、同図に示すように、上面開口部及び前面開口部を有するキャビネット本体１０と、このキャビネット本体１０の前面開口部における上半部領域に差し込まれる引き出し２０と、キャビネット本体１０の前面開口部における下半部領域に差し込まれる蹴込み付き引き出し３０と、蹴込み付き引き出し３０に取り付けられたトレー４０とから構成されており、キャビネット本体１０の上面開口部にシンク５２を有するカウンター５１が固定設置されるようになっている。なお、キャビネット本体１０内の後部側には、シンク５２の排水口に接続される排水管５３、排水トラップ５４、給水用の止水栓５５及び給湯用の止水栓５６と、排水管カバー５７とが設置されている。
【００１８】
前記キャビネット本体１０は、左右一対の側板１１、１１と、側板１１、１１を背面側で連結する背板１２と、側板１１、１１の上部を前面側で連結する戸当り板１３と、側板１１、１１を下端部で連結する底板１４とを備えており、蹴込み部を形成するために、側板１１、１１は、その前端側の下端部が切り欠かれている。
【００１９】
前記引き出し２０は、図２に示すように、引き出し本体２１と、この引き出し本体２１の前端部にそれぞれ固着された前板２２と、この前板２２の前面上部に固定された取手２３を備えており、この引き出し２０を閉めた状態では、前板２２が戸当り板１３に当接すると共に、引き出し本体２１が、シンク５２の直下に入り込むようになっている。
【００２０】
前記蹴込み付き引き出し３０は、図２及び図３に示すように、蹴込み深型の引き出し本体３１と、この引き出し本体３１の前端部に固着された、蹴込み部を形成する下部前板３２と、この下部前板３２よりも前方側に配設され、連結金具３４を介して、下部前板３２に固定された上部前板３３と、この上部前板３３の前面上部に固定された取手３５と、引き出し本体３１を構成している背板３１ａと上部前板３３とを、左右両側部においてそれぞれ連結する上下一対の補強ステー３６、３７と、左右一対の上側の補強ステー３６、３６に、ジョイント部材３９、３９を介して、前後方向に移動可能に支持されたステンレスパイプ製のガイドレール３８とを備えており、蹴込み付き引き出し３０には、引き出し本体３１の上部にトレー４０が取り付けられている。
【００２１】
前記トレー４０は、図４〜図７に示すように、前端側及び後端側が上方に突出した突出部４２ａ、４２ａを有する、側面Ｕ字状の合成樹脂製のサイドカバー４２及びこのサイドカバー４２の突出部４２ａ、４２ａ同士を、その上端部で相互に連結するステンレスパイプ４３を有する左右一対の側部材４１、４１と、この左右の側部材４１、４１のサイドカバー４２、４２を下部側で連結する、ステンレス板を折り曲げることによって、前側立ち上がり部４４ａ及び後側立ち上がり部４４ｂが一体的に形成された底部材４４と、左右の側部材４１、４１におけるサイドカバー４２、４２の突出部４２ａ、４２ａ同士を、その前端部及び後端部でそれぞれ連結するステンレスパイプ４５、４５とを備えており、サイドカバー４２の前端部及び後端部には、下端部に円弧状の切欠部４２ｂ、４２ｂが形成されていると共に、サイドカバー４２には、その切欠部４２ｂ、４２ｂに周面が僅かに張り出すように、ローラ４２ｃが回転可能に支持されている。
【００２２】
このトレー４０は、図２〜図７に示すように、底部材４４における前後方向の中央部を、蹴込み付き引き出し３０の引き出し本体３１を構成している背板３１ａの上端面に載置すると共に、側部材４１、４１のサイドカバー４２、４２の前端側の切欠部４２ｂ、４２ｂを、蹴込み付き引き出し３０のガイドレール３８に嵌め込んで、ローラ４２ｃの周面をガイドレール３８に当接させることによって、引き出し本体３１の上部に略水平に支持されており、後部側が蹴込み付き引き出し３０の引き出し本体３１から後方に張り出した状態で、引き出し本体３１の幅方向に移動させることができるようになっている。
【００２３】
また、このトレー４０は、図２及び図３に示すように、その幅（一方の側部材４１の外面から他方の側部材４１の外面までの寸法）が、蹴込み付き引き出し３０の引き出し本体３１の幅の１／２以下であって、キャビネット本体１０内の収納空間における排水トラップ５４の右側の空間に入り込むことができる寸法に設定されており、蹴込み付き引き出し３０に取り付けた状態で、蹴込み付き引き出し３０の上部前板３３の上側に張り出さないような高さに設定されている。
【００２４】
以上のように、このベースキャビネット１では、トレー４０が、蹴込み付き引き出し３０の引き出し本体３１から後方に張り出した状態で、引き出し本体３１の幅方向に移動可能に、引き出し本体３１の上部に設置されているので、排水トラップ５４を避けるように、その排水トラップ５４の右側位置にトレー４０を移動させた状態で、蹴込み付き引き出し３０を閉めると、トレー４０における引き出し本体３１から後方に張り出した部分が、おける排水トラップ５４の右側の空間に入り込むことになり、排水トラップ５４の右側の空間を収納空間として利用することができる。
【００２５】
また、トレー４０は、引き出し本体３１の幅方向に移動可能に設置されているので、キャビネット本体１０内に設けられる障害物の形状や位置が引き出し本体３１の幅方向に変化した場合でも、引き出し本体３１に対するトレー４０の設置位置を適宜変更することによって、対応することができる。
【００２６】
また、トレー４０の前端部を支持しているガイドレール３８は、補強ステー３６、３６に沿って、前後方向に移動させることができるので、キャビネット本体１０の奥行き方向に障害物がある場合や、引き出し本体３１内に収納される物品等との関係で、トレー４０が邪魔になるような場合等、必要に応じて、引き出し本体３１に対するトレーの張出量を調整することができるので、使い勝手がよい。
【００２７】
さらに、トレー４０の幅が引き出し本体３１の幅の１／２以下に設定されているので、トレー３０を引き出し本体３１の幅方向に適宜移動させることによって、トレー４０が、引き出し本体３１内に収容された物品の出し入れの障害となりにくく、蹴込み付き引き出し３０に対する物品の出し入れを円滑に行うことができる。
【００２８】
従って、収納空間の有効利用を図るために、製作に手間がかかる、汎用性に乏しい異形の引き出しを採用する必要がなく、ベースキャビネット１の製品価格の上昇を最小限に抑えつつ、収納空間の有効利用を図ることができる。
【００２９】
また、このベースキャビネット１では、トレー４０の後部側を引き出し本体３１の背板３１ａの上端面に載置した状態で、トレー４０が略水平になるように、トレー４０の前部側が蹴込み付き引き出し３０に支持されているので、トレー４０の後部側を支持するための専用の支持部材を蹴込み付き引き出し３０に設ける必要がなく、部品点数を最小限に抑えることができる。
【００３０】
また、図８に示すように、左右一対の上側の補強ステー３６、３６に、ジョイント部材３９、３９を介して、新たなガイドレール３８を前後方向に移動可能に支持すると、トレー４０を、その後部側が、引き出し本体３１の後方側に張り出さないような状態で支持することができるので、引き出し本体３１の領域内において、引き出し本体３１及びその上部に設置されているトレー４０の上下２段で物品を収納することも可能となる。
【００３１】
なお、上述した実施形態では、蹴込み付き引き出し３０を備えたベースキャビネット１について説明したが、これに限定されるものではなく、本発明は、通常の引き出しだけを備えているベースキャビネットや、引き出しを有する、蹴込み部のない種々のキャビネットに適用することができることは言うまでもない。
【図面の簡単な説明】
【００３２】
【図１】この発明にかかるキャビネットの一実施形態であるシステムキッチンのベースキャビネットを示す正面図である。
【図２】同上のベースキャビネットにおける右側の側板を取り外した状態を示す側面図である。
【図３】同上のベースキャビネットにおける蹴込み付き引き出しの上部前板を取り外した状態を示す正面図である。
【図４】同上の蹴込み付き引き出しに取り付けられているトレーを示す平面図である。
【図５】同上のトレーを示す側面図である。
【図６】同上のトレーを示す正面図である。
【図７】同上のトレーを示す部分斜視図である。
【図８】同上のベースキャビネットの異なる使用態様を示す側面図（右側の側板を取り外した状態を示す図）である。
【図９】従来のベースキャビネットにおける右側の側板を取り外した状態を示す側面図である。
【符号の説明】
【００３３】
１  ベースキャビネット
１０  キャビネット本体
１１  側板
１２  背板
１３  戸当り板
１４  底板
２０  引き出し
２１  引き出し本体
２２  前板
２３  取手
３０  蹴込み付き引き出し
３１  引き出し本体
３１ａ  背板
３２  下部前板
３３  上部前板
３４  連結金具
３５  取手
３６、３７  補強ステー
３８  ガイドレール
３９  ジョイント部材
４０  トレー
４１  側部材
４２  サイドカバー
４２ａ  突出部
４２ｂ  切欠部
４２ｃ  ローラ
４３  ステンレスパイプ
４４  底部材
４４ａ  前側立ち上がり部
４４ｂ  後側立ち上がり部
４５  ステンレスパイプ
５１  カウンター
５２  シンク
５３  排水管５３
５４  排水トラップ
５５、５６  止水栓
５７  排水管カバー
【図１】
2008073270.tif 000003
【図２】
2008073270.tif 000004
【図３】
2008073270.tif 000005
【図４】
2008073270.tif 000006
【図５】
2008073270.tif 000007
【図６】
2008073270.tif 000008
【図７】
2008073270.tif 000009
【図８】
2008073270.tif 000010
【図９】
2008073270.tif 000011